(57)【要約】【課題】従来の躯体と耐震補強材との接合構造では、躯体と耐震補強材との間の応力伝達において固定部材としてのアンカーの負担が大きくなり、接合部の強度を大きくするためにはアンカーの数を多くしなければならない。【解決手段】本発明による既存建物の躯体と耐震補強材と接合部材（接合金物２０）は、ベースプレート２１と、ベースプレートの表裏面より突出するようにベースプレートに設けられたピン２３と、ベースプレートの表裏面を貫通する固定具通し孔（アンカー通し孔２８）とを備え、ベースプレートが固定具通し孔を貫通して躯体６に固定された固定具（アンカー３１）に取付けられることによって躯体に接合され、躯体に接合されたベースプレートより躯体と反対側に突出するピンが耐震補強材３と接合されたことを特徴とする。【選択図】図１
2008138408.tif 000002
【特許請求の範囲】
【請求項１】
既存建物の躯体に耐震補強材を取り付けるための既存建物の躯体と耐震補強材との接合部材であって、ベースプレートと、ベースプレートの表裏面より突出するようにベースプレートに設けられたピンと、ベースプレートの表裏面を貫通する固定具通し孔とを備え、ベースプレートが固定具通し孔を貫通して躯体に固定された固定具に取付けられることによって躯体に接合され、躯体に接合されたベースプレートより躯体と反対側に突出するピンが耐震補強材と接合されたことを特徴とする既存建物の躯体と耐震補強材との接合部材。
【請求項２】
ベースプレートの躯体側に位置される裏面には、ベースプレートの裏面及びこの裏面より突出するピンを補強する補強リブが設けられたことを特徴とする請求項１に記載の既存建物の躯体と耐震補強材との接合部材。
【請求項３】
ベースプレートがピン取付孔を備え、ベースプレートの躯体とは反対側に位置される表面には、ベースプレートのピン取付孔に対応して表裏面を貫通するピン取付孔を備えたスペーサプレートが設けられ、ピンが、ベースプレート及びスペーサプレートのピン取付孔より突出するように貫通した状態で当該ベースプレート及びスペーサプレートに取付けられ、スペーサプレートの厚さが、躯体に接合されたベースプレートの表面より突出する固定具の長さより大きい寸法に形成されたことを特徴とする請求項１又は請求項２に記載の既存建物の躯体と耐震補強材との接合部材。
【請求項４】
請求項１乃至請求項３のいずれかに記載の接合部材を用いた既存建物の躯体と耐震補強材との接合構造において、ベースプレートの裏面より突出するピンの一端部が躯体の表面から内部に形成されたピン挿入孔に挿入された状態で、ベースプレートが躯体に接合されたことを特徴とする既存建物の躯体と耐震補強材との接合構造。
【請求項５】
請求項１乃至請求項３のいずれかに記載の接合部材を用いた既存建物の躯体と耐震補強材との接合構造において、躯体と接合部材との接合部が、躯体に取付けられた接合部材のベースプレートの裏面と躯体との間に設けられた補強部を備え、補強部が、躯体に接合された接合部材のベースプレートの裏面と躯体との間に設けられて固化した固化材とにより形成されたことを特徴とする既存建物の躯体と耐震補強材との接合構造。
【請求項６】
躯体に接合された接合部材のベースプレートより躯体と反対側に突出するピンと耐震補強材とがピン接合により接合され、ピン接合が、ピン部と、ピン部の中心軸を回転中心として回転が許容された状態にピン部と接合された耐震補強材の取付部とにより形成され、取付部が、耐震補強材の表裏面に跨って貫通するピン挿入孔により形成され、ピン部が、接合部材のピンにより形成されたか、あるいは、接合部材のピンとこのピンがピン挿入孔に挿入された状態でピンとピン挿入孔との間に充填されて固化した固化材とにより形成されたことを特徴とする請求項４又は請求項５に記載の躯体と耐震補強材との接合構造。
【請求項７】
耐震補強材が、既存建物の１つの階の躯体の外面に接合されたことを特徴とする請求項４乃至請求項６のいずれかに記載の躯体と耐震補強材との接合構造。
【請求項８】
耐震補強材が、既存建物の１つの階の躯体の外面と１つの階の下階の躯体の外面又は１つの階の上階の躯体の外面とに跨るように設置されてこれら外面に接合されたことを特徴とする請求項４乃至請求項６のいずれかに記載の躯体と耐震補強材との接合構造。
【発明の詳細な説明】
【技術分野】
【０００１】
本発明は、既存建物の躯体に耐震補強材を接合するための接合部材及び接合構造に関する。
【背景技術】
【０００２】
既存建物の躯体にアンカーボルトを接合し、躯体より突出するアンカーボルトの頭部に耐震補強材を連結し、この連結部分の周囲にコンクリートやモルタルを打設することで躯体と耐震補強材とを接合した建物が知られている。
【特許文献１】特開平１０−１５２９９７号公報
【発明の開示】
【発明が解決しようとする課題】
【０００３】
しかしながら、従来の躯体と耐震補強材との接合構造では、躯体と耐震補強材との間の応力伝達において固定部材としてのアンカーの負担が大きくなり、接合部の強度を大きくするためにはアンカーの数を多くしなければならないといった課題があった。
【課題を解決するための手段】
【０００４】
本発明による既存建物の躯体と耐震補強材と接合部材は、ベースプレートと、ベースプレートの表裏面より突出するようにベースプレートに設けられたピンと、ベースプレートの表裏面を貫通する固定具通し孔とを備え、ベースプレートが固定具通し孔を貫通して躯体に固定された固定具に取付けられることによって躯体に接合され、躯体に接合されたベースプレートより躯体と反対側に突出するピンが耐震補強材と接合されたことを特徴とする。
ベースプレートの躯体側に位置される裏面には、ベースプレートの裏面及びこの裏面より突出するピンを補強する補強リブが設けられたことも特徴とする。
ベースプレートがピン取付孔を備え、ベースプレートの躯体とは反対側に位置される表面には、ベースプレートのピン取付孔に対応して表裏面を貫通するピン取付孔を備えたスペーサプレートが設けられ、ピンが、ベースプレート及びスペーサプレートのピン取付孔より突出するように貫通した状態で当該ベースプレート及びスペーサプレートに取付けられ、スペーサプレートの厚さが、躯体に接合されたベースプレートの表面より突出する固定具の長さより大きい寸法に形成されたことも特徴とする。
本発明による既存建物の躯体と耐震補強材との接合構造は、ベースプレートの裏面より突出するピンの一端部が躯体の表面から内部に形成されたピン挿入孔に挿入された状態で、ベースプレートが躯体に接合されたことを特徴とする。
躯体と接合部材との接合部が、躯体に取付けられた接合部材のベースプレートの裏面と躯体との間に設けられた補強部とを備え、補強部が、躯体に接合された接合部材のベースプレートの裏面と躯体との間に設けられて固化した固化材とにより形成されたことも特徴とする。
躯体に接合された接合部材のベースプレートより躯体と反対側に突出するピンと耐震補強材とがピン接合により接合され、ピン接合が、ピン部と、ピン部の中心軸を回転中心として回転が許容された状態にピン部と接合された耐震補強材の取付部とにより形成され、取付部が、耐震補強材の表裏面に跨って貫通するピン挿入孔により形成され、ピン部が、接合部材のピンにより形成されたか、あるいは、接合部材のピンとこのピンがピン挿入孔に挿入された状態でピンとピン挿入孔との間に充填されて固化した固化材とにより形成されたことも特徴とする。
耐震補強材が、既存建物の１つの階の躯体の外面に接合されたことも特徴とする。
耐震補強材が、既存建物の１つの階の躯体の外面と１つの階の下階の躯体の外面又は１つの階の上階の躯体の外面とに跨るように設置されてこれら外面に接合されたことも特徴とする。
【発明の効果】
【０００５】
本発明の接合部材によれば、ペースプレートと、ペースプレートの表裏面に突出するようにペースプレートに設けられたピンを備えたので、接合部材の強度を大きくできる。よって、固定具の負担を軽減できるために、固定具の使用本数を少なくでき、かつ、ベースプレートの厚さを薄くすることができる。
ベースプレートの裏面に補強リブを備えたので、接合部材と躯体との接合部の強度を大きくできる。
ベースプレートの表面にスペーサプレートを備えたので、ベースプレートとピンとを補強できるとともに、固定具と耐震補強材の裏面との接触を回避できるので、スペーサプレートの表面と耐震補強材の裏面との接触を確実に確保でき、接合部材のピンと耐震補強材とを良好に接合できる。
本発明による既存建物の躯体と耐震補強材との接合構造によれば、ベースプレートの裏面より突出するピンの一端部が躯体の表面から内部に形成されたピン挿入孔に挿入された状態で、ベースプレートが躯体に接合されたので、躯体に埋め込まれた状態となるピンの一端部により、接合部材と躯体との接合部の強度を大きくできる。よって、固定具の負担を軽減できるために、固定具の使用本数を少なくでき、かつ、ベースプレートの厚さを薄くすることができる。
躯体と接合部材との接合部が、補強部を備え、補強部が、躯体に接合された接合部材のベースプレートの裏面と躯体との間に設けられて固化した固化材とにより形成されたので、接合部材と躯体との接合部の強度を大きくできるとともに、耐震補強材と躯体との間が離れている場合でも適用できる。
既存建物の躯体と耐震補強材とが回転を許容する接合、即ち、ピン接合によって接合されたので、地震時において、躯体と耐震補強材との接合部に曲げモーメントを作用させない（つまり、接合部に曲げモーメントを伝えない）ため、躯体と耐震補強材間の応力伝達が明快となり、ピン接合の設計においてせん断力だけを考慮すればよくなり、設計が容易となる。また、ピン接合が、ピン部と、ピン部と接合された耐震補強材の取付部とにより形成され、取付部が、ピン挿入孔により形成され、ピン部が、接合部材のピン、あるいは、このピンと固化材とにより形成されたので、躯体の外面に耐震補強材を容易に接合できる。また、ピンの表面と固化材とによる互いの回転を許容するピン接合部分、あるいは、ピン挿入孔と固化材とによる互いの回転を許容するピン接合部分を容易に形成できる。
耐震補強材が、既存建物の１つの階の躯体の外面に接合されたので、既存建物の外側での作業によって接合工事を行えるため、既存建物の室内に立ち入って工事する場合に比べ、工事に際しての居住者への影響を少なくできる。
耐震補強材が、既存建物の１つの階の躯体の外面と１つの階の下階の躯体の外面又は１つの階の上階の躯体の外面とに跨るように設置されてこれら外面に接合された場合は、即ち、１つの耐震補強材を２つの階に跨って接合した場合は、建物の耐震効果をより向上させることができる。
【発明を実施するための最良の形態】
【０００６】
図１乃至図３は最良の形態１を示す。図１は、耐震補強材と躯体とが接合手段により接合された状態を示す断面図、図２（ａ）は、接合金物の正面図、図２（ｂ）は、接合金物の平面図、図２（ｃ）は、接合金物の底面図、図２（ｄ）は、接合金物の側面図、図３は、建物をベランダ側から見た正面図である。
【０００７】
図３を参照し、耐震補強材が取り付けられた建物の構造を説明する。
建物１は、既存建物２と、既存建物２の外部に面した開口部１２の周りの躯体６としての梁４と柱１３、あるいは、梁４と躯体６としての図外の壁とに跨って当該梁４と柱１３又は壁に接合された耐震補強材３とにより形成される。
開口部１２は、例えば、集合住宅建物（マンション）の各戸の室内からベランダ１１への出入口となる開口部、集合住宅建物の各戸の廊下から室内への出入口となる開口部、窓のような開口部である。
耐震補強材３は、例えばＴ字形状の平板に作製されたコンクリート板を用いる。高強度コンクリートにより形成された耐震補強材３を使用すれば、耐震強度を大きくできて好ましい。
耐震補強材３のＴ字の横部７の両方の端部８；８、及び、Ｔ字の縦部９の下端部１０には、耐震補強材３を形成する板の両面を貫通するピン挿入孔４４が形成される。
Ｔ字形状に形成されたコンクリート製の耐震補強材３の大きさ及び重量は、例えば、高さＨ＝２５００ｍｍ、横幅＝５０００ｍｍ、板厚＝１５０ｍｍ、横部７の高さ＝５００ｍｍ、縦部９の横幅＝８００ｍｍ、ピン挿入孔３３の径１００ｍｍ、重量＝１．５トンである。
【０００８】
耐震補強材３は、Ｔ字の横部７の両方の端部８；８が、接合手段３０によって既存建物２の梁４に接合されるとともに、Ｔ字の縦部９の下端部１０が、接合手段３０によって既存建物２の柱１３あるいは上述した図外の壁に接合される。
即ち、Ｔ字形状の耐震補強材３が、開口部１２を塞がないように、既存建物２の外部に面した開口部１２の周りの躯体６に接合手段３０で接合される。
耐震補強材３の高さＨは、下階のベランダ１１の床の上面と上階のベランダ１１の床の下面との間の距離Ｋより短い長さに形成される。耐震補強材３の高さＨが距離Ｋより短く形成されているので、ベランダ１１上に耐震補強材３をＴ字状態で搬入して耐震補強材３をそのままの状態で躯体６の方向に移動させてから当該躯体６に接合できるため、耐震補強材３の接合作業が容易となる。
つまり、１つ１つの耐震補強材３が、既存建物２の１つの階の躯体６の外面に接合される。
【０００９】
図２を参照し、耐震補強材３を、躯体６としての梁４や柱１３や図外の壁に接合するために用いる接合部材としての接合金物２０を説明する。
接合金物２０は、既存建物２の躯体６に耐震補強材３の一部、例えば、耐震補強材３の横部７の両方の端部８；８、縦部９の下端部１０をそれぞれ個別に取り付けるためのものである。
接合金物２０は、例えば金属により形成され、ベースプレート２１、スペーサプレート２２、ピン２３を備える。
ベースプレート２１は、例えば長方形の平板により形成される。ベースプレート２１の表面の中央及び裏面の中央には、表面および裏面に跨って貫通するピン取付孔２４が形成される。
スペーサプレート２２は、例えば正方形の平板により形成される。スペーサプレート２２のスペーサプレート２２表面の中央及び裏面の中央には、スペーサプレート２２の表面および裏面に跨って貫通するピン取付孔２５が形成される。スペーサプレート２２は、ベースプレート２１の表面の中央部に設けられる。即ち、ベースプレート２１の表面の中央部においてスペーサプレート２２のピン取付孔２５とベースプレート２１のピン取付孔２４とが一致された状態に、スペーサプレート２２とベースプレート２１とが溶接により互いに接続される。スペーサプレート２２は、厚さが、躯体６に接合されたベースプレート２１の表面より突出する後述のアンカー３１の他端部の長さより大きい寸法に形成されたことによって、ベースプレート２１とピン２３とを補強するとともに、後述のアンカー固定孔３２に固定されたアンカー３１の他端と耐震補強材３の裏面との接触を回避させる手段として機能する。
ピン２３は、スペーサプレート２２のピン取付孔２５及びベースプレート２１のピン取付孔２４に貫通され、一端部２６がベースプレート２１の裏面より突出し、他端部２７がスペーサプレート２２の表面より突出した状態で、ベースプレート２１及びスペーサプレート２２に溶接により固定される。
ベースプレート２１には、ベースプレート２１の表裏面を貫通するアンカー通し孔２８がスペーサプレート２２の位置する場所を避けて複数形成される。
即ち、接合金物２０は、ベースプレート２１がピン取付孔２４を備え、ベースプレート２１の躯体６とは反対側に位置される表面には、ベースプレート２１のピン取付孔２４に対応して表裏面を貫通するピン取付孔２５を備えたスペーサプレート２２が設けられ、ピン２３が、ベースプレート２１の表裏面及びスペーサプレート２２の表面より突出するように、ベースプレート２１のピン取付孔２４及びスペーサプレート２２のピン取付孔２５に取付けられた構成であって、別々に製作されたベースプレート２１、スペーサプレート２２、ピン２３を組み付けることで形成されるので、ベースプレート２１、スペーサプレート２２、ピン２３とを一体に形成するための複雑で高価な成形型を使用せずに接合金物２０を作製できる。
接合金物２０の大きさ及び重量は、例えば、ベースプレート２１の長辺が１０００ｍｍ、短辺が５００ｍｍ、厚さ３２ｍｍ、ピン２３の径は８０ｍｍ、ベースプレート２１の表面からのピン２３の突出長さは１６８ｍｍ、ベースプレート２１の裏面からのピン２３の突出長さは４０ｍｍであり、全重量は、１５０ｋｇ程度であって、耐震補強材３の１／１０程度の重さである。
【００１０】
図１を参照し、耐震補強材３を躯体６に接合する接合手段３０を説明する。
接合手段３０は、接合金物２０と、固定具としてのアンカー３１と、ハンマドリルやコア抜きマシンなどで躯体６の外面２９から内部に形成されたアンカー固定孔３２及びピン２３の一端部２６が挿入されるピン挿入孔３３と、ベースプレート２１をアンカー３１に取り付けるための締結具としてのナット３４と、ピン接合部４０とを備える。
アンカー３１としては、例えば、一端部に袋を備えて袋内に樹脂接着剤が封入された樹脂系アンカーや、金属系アンカーを用いる。樹脂系アンカーは、アンカー固定孔３２に入れられて打撃が加えられと、アンカー固定孔３２の孔底とアンカーの一端部との圧力で袋が破れて孔内に充填される樹脂接着剤により孔に固定されるアンカーである。金属系アンカーは、アンカー固定孔３２に入れられて打撃が加えられると、一端部の金属がアンカー固定孔に係合されることによってアンカー固定孔に固定されるアンカーである。
【００１１】
次に、接合金物２０を躯体６に接合する方法を説明する。
まず、躯体６の外面２９から内部にアンカー固定孔３２及びピン挿入孔３３を形成する。複数のアンカー固定孔３２にそれぞれアンカー３１を一端側から挿入して固定する。接合金物２０のベースプレート２１より突出するピン２３の一端部２６をピン挿入孔３３に挿入するとともに、接合金物２０のアンカー通し孔２８にアンカー３１の他端側を通した状態において、アンカー３１の他端部に形成されたねじ部にナット３４を取り付けてナット３４をベースプレート２１の表面の方向に締結することによって、接合金物２０が躯体６に接合される。
【００１２】
ピン接合部４０の構造を説明する。
ピン接合部４０は、ピン部４１と、ピン部４１の中心軸を回転中心として回転が許容された状態にピン部４１と接合された耐震補強材３の取付部４２と、取付部４２によりピン部４１に取り付けられた耐震補強材３の脱落を防止する脱落防止部４３とにより形成される。
取付部４２は、耐震補強材３の表面および裏面に跨って貫通するピン挿入孔４４により形成される。
躯体６及び耐震補強材３の回転中心となるピン部４１は、スペーサプレート２２より突出するピン２３の他端部２７、あるいは、当該ピン２３の他端部２７と、当該他端部２７がピン挿入孔４４に挿入された状態で他端部２７とピン挿入孔４４との間に充填された固化材４５とにより形成される。
固化材４５としては、無収縮モルタル、無収縮セメント、エポキシ接着剤のような樹脂が用いられる。
脱落防止部４３は、ピン挿入孔４４の内側に位置されるピン２３の他端部２７の表面に形成されたピン側係合部４６と、ピン挿入孔４４の内面に形成された孔側係合部４７とにより形成される。即ち、ピン２３の他端部２７とピン挿入孔４４との間に充填された固化材４５と係合するピン側係合部４６と孔側係合部４７とを備えたので、ピン部４１からの耐震補強材３の脱落を防止できる構造を提供できる。
ピン２３の他端部２７は、円柱体の円形外周面の周囲を取り囲む凸部を円柱体の軸に沿った方向において所定の間隔を隔てて複数備え、この凸部と凸部との間の凹部がピン側係合部４６を形成する。ピン側係合部４６を形成する凹部は、円柱体の外周面を一周する凹部により形成される。
ピン挿入孔４４は、円形断面孔の内周面に凹部を備え、この凹部が孔側係合部４７を形成する。孔側係合部４７を形成する凹部は、円形断面孔の内周面を一周する凹部により形成される。
即ち、ピン側係合部４６及び孔側係合部４７は、ピン２３の中心軸を回転中心として固化材４５に対して回転可能な構成である。
ピン挿入孔４４に挿入されたピン２３の他端部２７の表面と固化材４５とによって互いの回転を許容するピン接合部４０が形成された場合には、ピン２３によりピン部４１が形成されることになる。
ピン挿入孔４４の内面と固化材４５とによって互いの回転を許容するピン接合部４０が形成された場合には、ピン２４と固化材４５とによりピン部４１が形成されることになる。
従って、ピン２３の他端部２７とピン挿入孔４４との間に固化材４５を充填し、固化材４５が固化することによって、固化材４５に対して回転可能なピン２３によるピン部４１、あるいは、ピン挿入孔４４の内面に対して回転可能なピン２３と固化材４５とによるピン部４１を容易に形成できる。
【００１３】
図２を参照し、ピン接合部４０の施工方法を説明する。耐震補強材３のピン挿入孔４４にピン２３の他端部２７を通し、耐震補強材３の裏面とスペーサプレート２２の表面とを互いに接触させた状態で、ピン挿入孔４４の他端側の開口からピン２３の他端部２７の表面とピン挿入孔４４の内面との間に固化材４５を充填し、固化材４５を固化させる。
以上により、躯体６に接合された接合金物２０と耐震補強材３とがピン接合部４０を介して互いに回転可能に接合される。また、ピン側係合部４６と固化材４５との係合、孔側係合部４７と固化材４５とに係合により、ピン部４１からの耐震補強材３の脱落を防止できる。
【００１４】
以上のように、耐震補強材３のＴ字の横部７の両方の端部８；８が接合手段３０によって梁４に接合されるとともに、Ｔ字の縦部９の下端部１０が接合手段３０によって柱１３又壁に接合される。そして、各階のベランダ１１の柱１３又は壁の１つ１つに対応して耐震補強材３を取り付けていくことによって、耐震補強材３が、既存建物２の外部に面した開口部１２の周りの柱１３又は壁と梁４とに跨って当該柱１３又は壁と梁４とに接合された構造の建物１を構築できる。
【００１５】
最良の形態１によれば、ペースプレート２１及びスペーサプレート２２の表裏面を貫通するピン２３を備えたことによって強度の大きい接合金物２０を用いるとともに、接合金物２０のピン２３の一端部２６が躯体６に形成されたピン挿入孔３３に挿入された状態でベースプレート２１が躯体６に接合されたアンカー３１にナット３４で締結されたことにより躯体６に接合されるので、躯体６に埋め込まれた状態となるピン２３の一端部２６により、接合金物２０と躯体６との接合部の強度を大きくできる。よって、アンカー３１の負担を軽減できるために、アンカー３１の使用本数を少なくでき、かつ、ベースプレート２１の厚さを薄くすることができる。
【００１６】
また、接合金物２０がスペーサプレート２２を備え、スペーサプレート２２の厚さが、躯体６に接合されたベースプレート２１の表面より突出する後述のアンカー３１の他端部の長さより大きい寸法に形成されたので、スペーサプレート２２によって、ベースプレート２１とピン２３とを補強できるとともに、アンカー固定孔３２に固定されたアンカー３１の他端と耐震補強材３の裏面との接触を回避できるので、スペーサプレート２２の表面と耐震補強材３の裏面との接触を確実に確保でき、良好なピン接合部４０を形成できる。また、スペーサプレート２２は、ピン挿入孔４４の一端側の開口を塞ぐ型枠として機能するので、ピン２３の他端部２７の表面とピン挿入孔４４の内面との間に固化材４５を充填する作業が容易となる。
【００１７】
また、ピン接合部４０は、地震時において、ピン２０の他端部２７の表面と固化材４５との付着、あるいは、ピン挿入孔４４の内面と固化材４５との付着が切れることによって、ピン部４１を回転中心として躯体６と耐震補強材３の端部とが互いに回転を許容された状態となるため、躯体６と耐震補強材３とのピン接合部４０に曲げモーメントを作用させない（つまり、ピン接合部４０に曲げモーメントを伝えない）ので、躯体６と耐震補強材３間の応力伝達が明快となり、耐震補強材３及びピン接合部４０の設計においてせん断力だけを考慮すればよくなるので、設計が容易となる。
さらに、Ｔ字の耐震補強材３が横部７の端部８；８及び縦部９の端部１０に形成された３つのピン挿入孔４４の部分でピン接合部４０によりピン接合され、耐震補強材３に対するピン接合部４０が３つと少数であるので、躯体６から耐震補強材３への応力伝達が明確となり、耐震補強材３及びピン接合部４０の設計が容易となるとともに、工期の短縮化も可能となる。
【００１８】
また、Ｔ字形状の耐震補強材３を用いて、開口部１２を塞がないように、既存建物２の外部に面した開口部１２の周りの梁４と柱１３、あるいは、梁４と図外の壁とに跨って当該梁４と柱１３又は壁とに耐震補強材３を接合したので、室内側から開口部１２を通して室外を見た場合に、耐震補強材３が開口部１２の前方に位置しないので、建物の外から見た場合の外観を損なわせたり、室内から開口部１２を通した眺望を妨げてしまうこともなく、耐震補強材３が開口部１２を通る人の出入を妨げることもない建物１を提供できる。
【００１９】
また、Ｔ字形状に加工した耐震補強材３を使用したので、１つの耐震補強材３で、１つの柱１３又は壁と当該柱１３又は壁の左右に設けられた梁４；４とに接合できるので、２つの耐震補強材３で１つの開口部４を囲むように設置でき、耐震補強材３を効率的に使用できる。また、梁４に沿った横部７の長さを長くすることができて、地震の際の力に対する耐震補強材２の強度を向上できるので、耐震効果の高い建物１を提供できる。
また、既存建物２の躯体６の外面２９である梁４及び柱１３の外面に耐震補強材３を接合したので、既存建物２の外側での作業によって接合工事を行えるため、既存建物２の室内に立ち入って工事する場合に比べ、工事に際しての居住者への影響を少なくできる。
【００２０】
最良の形態２
図４及び図５は最良の形態２を示す。図４は、耐震補強材と躯体としての梁とが接合手段により接合された状態を示す断面図、図５（ａ）は、接合部材としての接合金物の正面図、図５（ｂ）は、接合金物の平面図、図５（ｃ）は、接合金物の底面図、図５（ｄ）は、接合金物の側面図である。
【００２１】
柱１３の表面と梁４の表面とが同一面でない場合、即ち、柱１３が梁４より出っ張っている場合には、Ｔ字形状の耐震補強材３の縦部９を柱１３の表面に位置させ、横部７の両方の端部８；８を梁４の表面に位置させると、梁４の表面と耐震補強材３の裏面との間に隙間Ｘ（図４参照）が生じる。この隙間Ｘの長さが最良の形態１の接合金物２０におけるベースプレート２１の裏面より突出するピン２３の一端部２６の長さより長い場合には、ピン２３の一端部２６をピン挿入孔３３に挿入できないので、ピン２３の一端部２６を躯体６のピン挿入孔３３に埋め込むことによる補強効果が得られない。
【００２２】
そこで、上述したような場合に好適な最良の形態２による接合金物の構造を図５を参照して説明する。
この接合金物２０は、最良の形態１の接合金物２０のベースプレート２１の裏面に補強リブ５０を備えたものである。補強リブ５０は、ベースプレート２１の裏面及び裏面より突出するピン２３の一端部２６に溶接される金属板により形成される。補強リブ５０は、ベースプレート２１の長方形の長辺と平行な横リブ５１と、ベースプレート２１の長方形の短辺と平行な縦リブ５２と、縦リブ５２とピン２３の一端部２６とに接続された横連結リブ５３と、横リブ５１とピン２３の一端部２６とに接続された縦連結リブ５４とを備える。縦リブ５２と横リブ５１とが格子を形成するように設けられ、横連結リブ５３が、ピン２３の一端部２６を取り囲むように設けられた縦リブ５２及び横リブ５１のうちの縦リブ５２と一端部２６とに連結され、縦連結リブ５４が、ピン２３の一端部２６を取り囲むように設けられた縦リブ５２及び横リブ５１のうちの横リブ５１と一端部２６とに連結される。ベースプレート２１の裏面からピン２３の一端２６ｔまでの長さとベースプレート２１の裏面から補強リブ５０の一端５０ｔまでの長さは同じ長さに形成される。
【００２３】
図４を参照し、耐震補強材３を梁４に接合する接合手段３０を説明する。
接合手段３０は、接合金物２０と、固定具としてのアンカー３１と、ハンマドリルやコア抜きマシンなどで梁４の外面２９から内部に形成されたアンカー固定孔３２と、ベースプレート２１をアンカー３１に取付けるための締結具としてのナット３４；３５と、補強鉄筋３６と、ベースプレート２１の裏面と梁４の表面との間の空間内に充填されて固化された固化材３７としてのコンクリート又はモルタルと、ピン接合部４０とを備える。
【００２４】
次に、接合金物２０を躯体６に接合する方法を説明する。
まず、躯体６としての梁４の外面２９から内部にアンカー固定孔３２を形成する。複数のアンカー固定孔３２にそれぞれにアンカー３１を挿入して固定する。複数のアンカー固定孔３２にそれぞれ固定されて梁４の外面２９より突出する複数のアンカー３２の他端部の周りを取り囲むように補強鉄筋３６を設置する。一端部がアンカー固定孔３２に固定されたアンカー３１の他端部に形成されたねじ部にナット３５を取り付けてから接合金物２０のアンカー通し孔２８にアンカー３１の他端部を通した後にアンカー３１の他端からアンカー３１の他端部のねじ部にナット３４を取付ける。そして、ナット３５をベースプレート２１の裏面の方向に締結するとともに、ナット３４をベースプレート２１の表面の方向に締結する。この際、柱１３の表面に位置される耐震補強材３の両端部８；８の裏面の位置に接合金物２０のスペーサプレート２２の表面が位置するように、ナット３４；３５により接合金物２０の位置を調整して位置決めする。ベースプレート２１の周縁と梁４の表面とに跨って設けられてベースプレート２１の裏面と梁４の表面との間の空間を覆う図外の型枠を設置した後に、この型枠に設けられた図外の注入口より固化材３７を上記空間内に充填して固化させることによって、接合金物２０が梁４に接合される。
尚、ピン接合部４０の構造及び施工方法は、最良の形態１と同じであるので、説明を省略する。
【００２５】
最良の形態２によれば、ペースプレート２１及びスペーサプレート２２の表裏面を貫通するピン２３と、ベースプレート２１の裏面及びこの裏面より突出するピン２３の一端部２６に溶接される補強リブ５０とを備えた接合金物２０を用いたので、柱１３の表面と梁４の表面とが同一面でなく隙間Ｘを固化材３７で埋める必要がある場合において、ピン２３と補強リブ５０とにより接合金物２０と梁４との接合部の強度を大きくできる。よって、アンカー３１の負担を軽減できるために、アンカー３１の使用本数を少なくできる。また、格子状に設けられた縦リブ５２と横リブ５１とで囲まれた空間に固化材３７が入り込んで固化することによって、固化材３７と補強リブ５０とが一体化しやすくなるので、接合金物２０の強度を大きくできる。
【００２６】
また、空間内において複数のアンカー３２の他端部の周りを取り囲むように補強鉄筋３６を配置したので、空間内に充填されて固化された固化材３７としてのコンクリート又はモルタルが応力を伝達する際のコンクリート又はモルタルの割れや欠けを補強鉄筋３６で防止できる。即ち、補強鉄筋３６と固化材３７とにより形成された補強部を備えたので、接合金物２０と躯体６とのピン接合部４０の強度を大きくできるとともに、耐震補強材３と躯体６との間が離れている場合でも耐震補強材３と躯体６とを良好に接合できるようになる。尚、隙間Ｘが小さい場合には補強鉄筋３６を省略し、空間内に充填されて固化された固化材３７による補強部を備えた接合構造としてもよい。
【００２７】
最良の形態３
隙間Ｘの長さが長い場合、例えば、隙間Ｘ＝２００ｍｍ以上の場合には、ピン接合部４０にかかる偏心モーメントが大きくなることによりアンカー３１がこの偏心モーメントによる引張力に抵抗しきれなくなる可能性がある。この場合には、図６に示すように、外周面にねじ部を備えた例えば高強度鋼材よりなるＰＣ鋼棒と呼ばれるねじ棒６０を用いる。つまり、梁４の表面と裏面とに跨って貫通するねじ棒貫通孔６１を形成し、ねじ棒６０をねじ棒貫通孔６１に貫通させて、梁４の裏面より突出するねじ棒６０の一端部にナット６２を取付けて締結する。その他の構成は、最良の形態２と同じである。
最良の形態３によれば、隙間Ｘが２００ｍｍ以上である場合においても、ねじ棒６０により、ピン接合部４０にかかる偏心モーメントに耐えることのできるように接合金物２０と梁４との接合部の強度を大きくできる。
【００２８】
最良の形態４
図７に示すように、最良の形態１の接合金物２０を最良の形態３のようにねじ棒６０によって躯体６に取付ることによって、ねじ棒６０により、ピン接合部４０にかかる偏心モーメントに耐えることのできるように接合金物２０と躯体６との接合部の強度を大きくできる。
【００２９】
最良の形態５
ベースプレート２１に複数のピン２３を備えた接合金物２０、例えば図８に示すように、４つのピン２３を備えた接合金物２０を使用してもよい。尚、図８では、図５に示す補強リブ５０を備えた接合金物２０におけるピン２３の数を複数に変更した接合金物２０を図示したが、図２に示す接合金物２０におけるピン２３の数を複数に変更した接合金物２０を用いてもよい。尚、補強リブ５０の横リブ５１と縦リブ５２とがピン２３の外周面に結合されたことで、ピン２３が補強リブ５０で補強されている。このような、複数のピン２３を備えた接合金物２０を用いて、図１、図４、図６、図７に示した接合構造を構成でき、これらの接合構造と同様の効果を得ることができる。尚、複数のピン２３を備えた接合金物２０を用いて、図１、図４、図６、図７に示した接合構造を構成した場合、図１、図４、図６、図７に示したピン接合部４０は、回転を許容しない接合部となるため、躯体６から耐震補強材３に曲げモーメントが伝わるので、耐震補強材３で負担できる地震力が大きくなり、より大きな地震に対して耐震効果が得られる。図８では、スペーサプレート２２や補強リブ５０を備えた接合金物２０を示したが、スペーサプレート２２及び補強リブ５０を備えない接合金物２０を用いても、図１や図７のような接合構造を提供できる。
【００３０】
最良の形態６
耐震補強材３が、既存建物２の１つの階の躯体６の外面と１つの階の上階の躯体６の外面又は１つの階の下階の躯体６の外面とに跨るように設置されてこれら外面に接合された構造であってもよい。
例えば、図３において、Ｔ字形状の耐震補強材３の縦部９の長さを長くして、横部の両端を１つの階の躯体６の外面を形成する梁４に接合するとともに、縦部９の下端部１０を１つの階の下階の躯体６の外面を形成する梁４に接合してもよい。
また、縦部９の長さを長くしたＴ字形状の耐震補強材３を図３の場合と上下を逆にして使用し、横部７の両端部を１つの階の躯体６の外面を形成する梁４に接合するとともに、縦部９の上端部を１つの階の上階の躯体の外面を形成する柱１３の上部に接合してもよい。
最良の形態６によれば、建物１の耐震効果をより向上させることができる。
【産業上の利用可能性】
【００３１】
耐震補強材３としては、Ｚの縦部を垂直にした形、Ｚ形、Ｉ形、ロ形、コ形、Ｌ形、十字形、Ｈ形、四角形のものを用いてもよい。
耐震補強材３は、鉄板、鋼板、鋳鉄板などの金属により形成されたものを用いてもよい
接合部材として、鋼管内にコンクリートやモルタルなどの充填材を充填したものにより形成されたものを用いてもよい。
【００３２】
成形型によってベースプレート２１、スペーサプレート２２、ピン２３とが一体に形成された接合金物２０でもよい。
スペーサプレート２２を備えない接合部材を用いてもよい。このような接合部材であっても、ペースプレート２１の表裏面を貫通するピン２３を備えていれば、接合部材の強度を大きくできるので、アンカーの負担を軽減できるために、アンカーの使用本数を少なくでき、かつ、ベースプレート２１の厚さを薄くすることができる。
【００３３】
図１や図７の接合金物２０を用い、このベースプレート２１と躯体６の外面２９との間に固化材３７及び補強鉄筋３６を設けた接合構造としてもよい。
ベースプレート２１の補強リブ５０と躯体６の外面２９とを接触させて補強リブ５０の周囲及び内側に固化材３７を設けた接合構造としてもよい。
【図面の簡単な説明】
【００３４】
【図１】耐震補強材と躯体とが接合手段により接合された状態を示す断面図（最良の形態１）。
【図２】接合金物を示す図（最良の形態１）。
【図３】建物をベランダ側から見た正面図（最良の形態１）。
【図４】耐震補強材と躯体とが接合手段により接合された状態を示す断面図（最良の形態２）。
【図５】接合金物を示す図（最良の形態２）。
【図６】耐震補強材と躯体とが接合手段により接合された状態を示す断面図（最良の形態３）。
【図７】耐震補強材と躯体とが接合手段により接合された状態を示す断面図（最良の形態４）。
【図８】接合金物を示す図（最良の形態５）。
【符号の説明】
【００３５】
１  建物、２  既存建物、３  耐震補強材、４  梁、６  躯体、７  横部、
８  横部の端部、９  縦部、１０  縦部の下端部、１２  開口部、１３  柱、
２０  接合金物（接合部材）、２１  ベースプレート、２２  スペーサプレート、２３  ピン、２４；２５  ピン取付孔、２７  ピンの一端部、
２８  アンカー通し孔、３０  接合手段、３１  アンカー（固定具）、
３２  アンカー固定孔、３３  ピン挿入孔、３６  補強鉄筋、３７  固化材、
４０  ピン接合部、４１  ピン部、４３  脱落防止部、
４４  ピン挿入孔（取付部４２）、４５  固化材、４６  ピン側係合部、
４７  孔側係合部、５０  補強リブ。
【図１】
2008138408.tif 000003
【図２】
2008138408.tif 000004
【図３】
2008138408.tif 000005
【図４】
2008138408.tif 000006
【図５】
2008138408.tif 000007
【図６】
2008138408.tif 000008
【図７】
2008138408.tif 000009
【図８】
2008138408.tif 000010